(57)【特許請求の範囲】
【請求項１】
少なくとも移動体端末と基地局と無線ネットワーク制御装置とから構成され、前記移動体端末が発呼する際に、移動管理と呼制御とを転送するためにシグナリングコネクションの無線リソース制御コネクションを確立する移動体通信システムであって、
前記無線ネットワーク制御装置は、前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記無線リソース制御コネクションの接続要求を行った前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記無線リソース制御コネクションの接続要求を行った前記移動体端末側の処理と並行して実行する手段を有することを特徴とする移動体通信システム。
【請求項２】
前記無線ネットワーク制御装置は、前記ＮＢＡＰ：無線リンク設定手順または前記ＡＬＣＡＰ：ＡＡＬ２コネクション設定手順の未完了または失敗時に前記無線リソース制御コネクションの確立をトランスポートチャネルで再確立することを特徴とする請求項１記載の移動体通信システム。
【請求項３】
移動体端末が発呼する際に、移動管理と呼制御とを転送するためにシグナリングコネクションの無線リソース制御コネクションを確立する移動体通信システムを、少なくとも前記移動体端末と基地局とともに構成する無線ネットワーク制御装置であって、
前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記無線リソース制御コネクションの接続要求を行った前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記無線リソース制御コネクションの接続要求を行った前記移動体端末側の処理と並行して実行する手段を有することを特徴とする無線ネットワーク制御装置。
【請求項４】
前記ＮＢＡＰ：無線リンク設定手順または前記ＡＬＣＡＰ：ＡＡＬ２コネクション設定手順の未完了または失敗時に前記無線リソース制御コネクションの確立をトランスポートチャネルで再確立することを特徴とする請求項３記載の無線ネットワーク制御装置。
【請求項５】
少なくとも移動体端末と基地局と無線ネットワーク制御装置とから構成され、前記移動体端末が発呼する際に、移動管理と呼制御とを転送するためにシグナリングコネクションの無線リソース制御コネクションを確立する移動体通信システムに用いる呼接続時間短縮方法であって、
前記無線ネットワーク制御装置が、前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記無線リソース制御コネクションの接続要求を行った前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記無線リソース制御コネクションの接続要求を行った前記移動体端末側の処理と並行して行う処理を実行することを特徴とする呼接続時間短縮方法。
【請求項６】
前記無線ネットワーク制御装置が、前記ＮＢＡＰ：無線リンク設定手順または前記ＡＬＣＡＰ：ＡＡＬ２コネクション設定手順の未完了または失敗時に前記無線リソース制御コネクションの確立をトランスポートチャネルで再確立することを特徴とする請求項５記載の呼接続時間短縮方法。
【発明の詳細な説明】
【技術分野】
【０００１】
本発明は移動体通信システム、無線ネットワーク制御装置及びそれらに用いる呼接続時間短縮方法に関し、特にＣＤＭＡ（Ｃｏｄｅ  Ｄｉｖｉｓｉｏｎ  Ｍｕｌｔｉｐｌｅ  Ａｃｃｅｓｓ）移動体通信システムの無線ネットワーク制御装置に関する。
【背景技術】
【０００２】
従来、この種の移動体通信システムにおいては、移動体端末［以下、ＵＥ（Ｕｓｅｒ  Ｅｑｕｉｐｍｅｎｔ）とする］が発呼するために、まず移動管理［以下ＭＭ（Ｍｏｂｉｌｉｔｙ  Ｍａｎａｇｅｍｅｎｔ）とする］と、呼制御［以下、ＣＣ（Ｃａｌｌ  Ｃｏｎｔｒｏｌ）とする］とを転送するためのシグナリングコネクション（制御プレーン：Ｃ−Ｐｌａｎｅ）を確立する必要がある（例えば、特許文献１，２参照）。
【０００３】
シグナリングコネクションは、ＲＲＣ（Ｒａｄｉｏ  Ｒｅｓｏｕｒｃｅ  Ｃｏｎｔｒｏｌ：無線リソース制御）コネクションと、ＳＣＣＰコネクションとから構成されている（例えば、特許文献１，２参照）。このシグナリングコネクションのうちのＲＲＣコネクション確立までの手順を図４を参照して説明する。
【０００４】
無線ネットワーク制御装置［以下、ＲＮＣ（Ｒａｄｉｏ  Ｎｅｔｗｏｒｋ  Ｃｏｎｔｒｏｌｌｅｒ）とする］はＵＥからＲＲＣ接続要求メッセージ［ＣＣＣＨ（Ｃｏｍｍｏｎ  Ｃｏｎｔｒｏｌ  Ｃｈａｎｎｅｌ：共通制御チャネル）（論理チャネル），ＲＡＣＨ（Ｒａｎｄｏｍ  Ａｃｃｅｓｓ  Ｃｈａｎｎｅｌ：ランダムアクセスチャネル）（トランスポートチャネル），ＰＲＡＣＨ（Ｐｈｙｓｉｃａｌ  Ｒａｎｄｏｍ  Ａｃｃｅｓｓ  Ｃｈａｎｎｅｌ：ランダムアクセス物理チャネル）（物理チャネル）］がくると（図４のｃ１）、ＲＲＣコネクションをＤＣＨ（トランスポートチャネル）で確立するため、基地局（ＮｏｄｅＢ）との間で、ＮＢＡＰ（Ｎｏｄｅ  Ｂ  Ａｐｐｌｉｃａｔｉｏｎ  Ｐａｒｔ）：無線リンクの設定（図４のｃ２，ｃ３）、及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクションを確立する（図４のｃ４，ｃ５）。
【０００５】
その後に、ＲＮＣはＲＲＣ接続設定メッセージ（ＲＲＣ  Ｃｏｎｎｅｃｔｉｏｎ  Ｓｅｔｕｐ）［ＣＣＣＨ，ＦＡＣＨ（Ｆｏｒｗａｒｄ  Ａｃｃｅｓｓ  Ｃｈａｎｎｅｌ：下りアクセスチャネル）（トランスポートチャネル）、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ：２次共通制御物理チャネル）（物理チャネル）］をＵＥに送信する（図４のｃ６）。
【０００６】
ＵＥはＲＲＣ接続設定メッセージを受信すると、ＲＲＣ接続完了メッセージ（ＲＲＣ  Ｃｏｎｎｅｃｔｉｏｎ  Ｓｅｔｕｐ  Ｃｏｍｐｌｅｔｅ）［ＤＣＣＨ（Ｄｅｄｉｃａｔｅｄ  Ｃｏｎｔｒｏｌ  Ｃｈａｎｎｅｌ：個別制御チャネル）（論理チャネル），ＤＣＨ（Ｄｅｄｉｃａｔｅｄ  Ｃｈａｎｎｅｌ：個別チャネル）（トランスポートチャネル），ＤＰＤＣＨ（Ｄｅｄｉｃａｔｅｄ  Ｐｈｙｓｉｃａｌ  Ｄａｔａ  Ｃｈａｎｎｅｌ：個別物理データチャネル）（物理チャネル）］を送信する（図４のｃ８）。
【０００７】
【特許文献１】特開２００２−１９９４４０号公報
【特許文献２】特開２００５−２５２８２８号公報
【発明の開示】
【発明が解決しようとする課題】
【０００８】
しかしながら、上述した従来のＲＲＣコネクション確立手順では、ＲＮＣが、ＮＢＡＰ：無線リンク設定、及びＡＬＣＡＰ：ＡＡＬ２コネクションの確立を待ってからＲＲＣ接続設定（ＲＲＣ  Ｃｏｎｎｅｃｔｉｏｎ  Ｓｅｔｕｐ）メッセージを送信するため、遅延が発生し、接続が完了するまでに時間がかかってしまうという問題がある。
【０００９】
そこで、本発明の目的は上記の問題点を解消し、移動体端末から発信されてきた呼に対して接続が完了するまでにかかる時間を短縮することができる移動体通信システム、無線ネットワーク制御装置及びそれらに用いる呼接続時間短縮方法を提供することにある。
【課題を解決するための手段】
【００１０】
本発明による移動体通信システムは、少なくとも移動体端末と基地局と無線ネットワーク制御装置とから構成され、前記移動体端末が発呼する際に、移動管理と呼制御とを転送するためにシグナリングコネクションの無線リソース制御コネクションを確立する移動体通信システムであって、
前記無線ネットワーク制御装置は、前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記無線リソース制御コネクションの接続要求を行った前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記無線リソース制御コネクションの接続要求を行った前記移動体端末側の処理と並行して実行する手段を備えている。
【００１１】
本発明による無線ネットワーク制御装置は、移動体端末が発呼する際に、移動管理と呼制御とを転送するためにシグナリングコネクションの無線リソース制御コネクションを確立する移動体通信システムを、少なくとも前記移動体端末と基地局とともに構成する無線ネットワーク制御装置であって、
前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記無線リソース制御コネクションの接続要求を行った前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記無線リソース制御コネクションの接続要求を行った前記移動体端末側の処理と並行して実行する手段を備えている。
【００１２】
本発明による呼接続時間短縮方法は、少なくとも移動体端末と基地局と無線ネットワーク制御装置とから構成され、前記移動体端末が発呼する際に、移動管理と呼制御とを転送するためにシグナリングコネクションの無線リソース制御コネクションを確立する移動体通信システムに用いる呼接続時間短縮方法であって、
前記無線ネットワーク制御装置が、前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記無線リソース制御コネクションの接続要求を行った前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記無線リソース制御コネクションの接続要求を行った前記移動体端末側の処理と並行して行う処理を実行している。
【００１３】
すなわち、本発明の移動体通信システムは、移動体端末［以下、ＵＥ（Ｕｓｅｒ  Ｅｑｕｉｐｍｅｎｔ）とする］が無線ネットワーク制御装置［以下、ＲＮＣ（Ｒａｄｉｏ  Ｎｅｔｗｏｒｋ  Ｃｏｎｔｒｏｌｌｅｒ）とする］に対してＲＲＣ（Ｒａｄｉｏ  Ｒｅｓｏｕｒｃｅ  Ｃｏｎｔｒｏｌ：無線リソース制御）メッセージを送受信する手段を有し、基地局（ＮｏｄｅＢ）がＲＮＣに対してＮＢＡＰ（Ｎｏｄｅ  Ｂ  Ａｐｐｌｉｃａｔｉｏｎ  Ｐａｒｔ）メッセージ及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）メッセージを送受信する手段を有し、ＲＮＣがＵＥ及び基地局に対してＲＲＣメッセージ、ＮＢＡＰメッセージ、及びＡＬＣＡＰメッセージを送受信する手段を有している。
【００１４】
本発明の特徴は、ＲＮＣにおいて、ＵＥから発信されてきた呼に対して、接続が完了するまでにかかる時間を短縮することにある。ＵＥが発呼するためには、まず移動管理「以下、ＭＭ（Ｍｏｂｉｌｉｔｙ  Ｍａｎａｇｅｍｅｎｔ）とする］と、呼制御［以下、ＣＣ（Ｃａｌｌ  Ｃｏｎｔｒｏｌ）とする］とを転送するためのシグナリングコネクション（制御プレーン：Ｃ−Ｐｌａｎｅ）を確立する必要がある。シグナリングコネクションは、ＲＲＣコネクションとＳＣＣＰコネクションとから構成されている。
【００１５】
ＲＲＣコネクションの確立には、ＵＥがＲＮＣにＲＲＣ接続要求メッセージ（ＲＲＣ  Ｃｏｎｎｅｃｔｉｏｎ  Ｒｅｑｕｅｓｔ）を送信し、そのメッセージを受信したＲＮＣがＵＥにＲＲＣ接続設定メッセージ（ＲＲＣ  Ｃｏｎｎｅｃｔｉｏｎ  Ｓｅｔｕｐ）を返し、さらにＵＥがＲＮＣにＲＲＣ接続設定完了メッセージ（ＲＲＣ  Ｃｏｎｎｅｃｔｉｏｎ  Ｓｅｔｕｐ  Ｃｏｍｐｌｅｔｅ）を返すことによって、ＲＲＣコネクションが確立される。
【００１６】
ＵＥは、ＣＣＣＨ（Ｃｏｍｍｏｎ  Ｃｏｎｔｒｏｌ  Ｃｈａｎｎｅｌ：共通制御チャネル）（論理チャネル）にＲＲＣ接続要求メッセージを送信する。ＣＣＣＨは、ＲＡＣＨ（Ｒａｎｄｏｍ  Ａｃｃｅｓｓ  Ｃｈａｎｎｅｌ：ランダムアクセスチャネル）（トランスポートチャネル）、ＰＲＡＣＨ（Ｐｈｙｓｉｃａｌ  Ｒａｎｄｏｍ  Ａｃｃｅｓｓ  Ｃｈａｎｎｅｌ：ランダムアクセス物理チャネル）（物理チャネル）に多重される。
【００１７】
ＲＮＣは、ＣＣＣＨにＲＲＣ接続設定メッセージを送信する。ＣＣＣＨは、ＦＡＣＨ（Ｆｏｒｗａｒｄ  Ａｃｃｅｓｓ  Ｃｈａｎｎｅｌ：下りアクセスチャネル）（トランスポートチャネル）、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ：２次共通制御物理チャネル）（物理チャネル）に多重される。
【００１８】
ＵＥは、ＤＣＣＨ（Ｄｅｄｉｃａｔｅｄ  Ｃｏｎｔｒｏｌ  Ｃｈａｎｎｅｌ：個別制御チャネル）（論理チャネル）にＲＲＣ接続完了メッセージを送信する。ＤＣＣＨは、ＤＣＨ（Ｄｅｄｉｃａｔｅｄ  Ｃｈａｎｎｅｌ：個別チャネル）（トランスポートチャネル）、ＤＰＤＣＨ（Ｄｅｄｉｃａｔｅｄ  Ｐｈｙｓｉｃａｌ  Ｄａｔａ  Ｃｈａｎｎｅｌ：個別物理データチャネル）（物理チャネル）に多重される。
【００１９】
ＵＥがＤＣＨ（トランスポートチャネル）にＲＲＣ接続完了メッセージを送信するためには、ＲＮＣがＲＲＣコネクションをＤＣＨで確立するための無線リソースの割り当て（ＮＢＡＰ：無線リンク設定手順）と、ＤＣＨ用のＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクションの確立（ＡＬＣＡＰ：ＡＡＬ２コネクション設定手順）を完了している必要がある。
【００２０】
そのため、従来は、図４に示すように、ＮＢＡＰ：無線リンク設定手順（ＮＢＡＰ：Ｒａｄｉｏ  Ｌｉｎｋ  Ｓｅｔｕｐ  Ｒｅｑｕｅｓｔ〜ＮＢＡＰ：Ｒａｄｉｏ  Ｌｉｎｋ  Ｓｅｔｕｐ  Ｒｅｓｐｏｎｓｅ）、及びＡＬＣＡＰ：ＡＡＬ２コネクション設定手順（ＡＬＣＡＰ：Ｅｓｔａｂｌｉｓｈ  Ｒｅｑｕｅｓｔ〜ＡＬＣＡＰ：Ｅｓｔａｂｌｉｓｈ  Ｃｏｎｆｉｒｍ）が完了した後に、ＲＮＣがＵＥにＲＲＣ接続設定メッセージを送信し、ＲＲＣ接続設定メッセージを受信したＵＥがＲＮＣにＲＲＣ接続完了メッセージを送信している。
【００２１】
本発明の移動体通信システムでは、図２に示すように、ＲＮＣがＮＢＡＰ：無線リンク設定手順の開始（ＮＢＡＰ：Ｒａｄｉｏ  Ｌｉｎｋ  Ｓｅｔｕｐ  Ｒｅｑｕｅｓｔ）と同時に、ＵＥにＲＲＣ接続設定メッセージを送信することで、ＮＢＡＰ：無線リンク設定手順、及びＡＬＣＡＰ：ＡＡＬ２コネクション設定手順と並行して、ＲＲＣ接続処理を行い、ＵＥからのＲＲＣ接続完了メッセージ受信よりも先にＮＢＡＰ：無線リンク設定手順、及びＡＬＣＡＰ：ＡＡＬ２コネクション設定手順を完了しているため、ＵＥがＤＣＨにＲＲＣ接続完了メッセージを送信することが可能となり、接続が完了するまでにかかる時間を短縮することが可能となる。
【００２２】
図３に示すように、本発明の移動体通信システムでは、万が一、ＲＮＣがＮＢＡＰ：無線リンク設定手順、またはＡＬＣＡＰ：ＡＡＬ２コネクション設定手順が未完了の場合に、または失敗した場合に、ＲＲＣコネクションの確立をＦＡＣＨ（トランスポートチャネル）で再確立することで救済している。
【００２３】
上記のように、本発明の移動体通信システムでは、ＲＲＣ接続設定メッセージを送信するまでに遅延が発生しないように、ＲＮＣがＵＥからＲＲＣ接続要求メッセージ（ＲＲＣ  Ｃｏｎｎｅｃｔｉｏｎ  Ｒｅｑｕｅｓｔ）を受信したら、ＮＢＡＰ：無線リンク設定メッセージ（ＮＢＡＰ：Ｒａｄｉｏ  Ｌｉｎｋ  Ｓｅｔｕｐ  Ｒｅｑｕｅｓｔ）をＮｏｄｅＢに送信すると同時に、ＲＲＣ接続設定メッセージ（ＲＲＣ  Ｃｏｎｎｅｃｔｉｏｎ  Ｓｅｔｕｐ）をＵＥに送信することで、より早くＵＥからＲＲＣ接続設定完了メッセージ（ＲＲＣ  Ｃｏｎｎｅｃｔｉｏｎ  Ｓｅｔｕｐ  Ｃｏｍｐｌｅｔｅ）を受信することが可能となる。よって、本発明の移動体通信システムでは、ＵＥから発信してきた呼（回線交換呼及びパケット呼）に対して接続が完了するまでにかかる時間を短縮することが可能となる。
【発明の効果】
【００２４】
本発明は、上記のような構成及び動作とすることで、移動体端末から発信されてきた呼に対して接続が完了するまでにかかる時間を短縮することができるという効果が得られる。
【発明を実施するための最良の形態】
【００２５】
次に、本発明の実施例について図面を参照して説明する。図１は本発明の一実施例による移動体通信システムの構成を示すブロック図である。図１において、本発明の一実施例による移動通信システムは、移動体端末［以下、ＵＥ（Ｕｓｅｒ  Ｅｑｕｉｐｍｅｎｔ）とする］１と、基地局（ＮｏｄｅＢ）２と、基地局２を制御する無線ネットワーク制御装置［以下、ＲＮＣ（Ｒａｄｉｏ  Ｎｅｔｗｏｒｋ  Ｃｏｎｔｒｏｌｌｅｒ）とする］３と、図示せぬ移動交換網の交換動作を行う移動交換局［以下、ＣＮ（Ｃｏｒｅ  Ｎｅｔｗｏｒｋ）とする］４とから構成されている。尚、図１において、１１及び１２はセル（Ｃｅｌｌ）を示している。
【００２６】
また、図示していないが、本発明の一実施例による移動体通信システムにおいて、ＵＥ１はＲＮＣ３に対してＲＲＣ（Ｒａｄｉｏ  Ｒｅｓｏｕｒｃｅ  Ｃｏｎｔｒｏｌ：無線リソース制御）メッセージを送受信する機能を持っている。基地局２はＲＮＣ３に対してＮＢＡＰ（Ｎｏｄｅ  Ｂ  Ａｐｐｌｉｃａｔｉｏｎ  Ｐａｒｔ）メッセージ及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）メッセージを送受信する機能を持っている。ＲＮＣ３はＵＥ１及び基地局２に対してＲＲＣメッセージ、ＮＢＡＰメッセージ、及びＡＬＣＡＰメッセージを送受信する機能を持っている。
【００２７】
図２は本発明の一実施例による移動体通信システムにおけるＲＲＣ接続設定手順を示すシーケンスチャートであり、図３は本発明の一実施例による移動体通信システムにおけるＲＲＣ接続設定に失敗した時の手順を示すシーケンスチャートである。これら図１〜図３を参照して本発明の一実施例による移動体通信システムにおけるＲＲＣ接続設定手順について説明する。
【００２８】
まず、ＵＥ１は回線交換呼またはパケット呼を確立するために、ＲＲＣコネクションを確立する必要があるため、ＲＮＣ３にＲＲＣ接続要求メッセージ（ＲＲＣ  Ｃｏｎｎｅｃｔｉｏｎ  Ｒｅｑｕｅｓｔ）［ＣＣＣＨ（Ｃｏｍｍｏｎ  Ｃｏｎｔｒｏｌ  Ｃｈａｎｎｅｌ：共通制御チャネル）（論理チャネル），ＲＡＣＨ（Ｒａｎｄｏｍ  Ａｃｃｅｓｓ  Ｃｈａｎｎｅｌ：ランダムアクセスチャネル）（トランスポートチャネル），ＰＲＡＣＨ（Ｐｈｙｓｉｃａｌ  Ｒａｎｄｏｍ  Ａｃｃｅｓｓ  Ｃｈａｎｎｅｌ：ランダムアクセス物理チャネル）（物理チャネル）］を送信する（図２のａ１）。
【００２９】
ＲＮＣ３はＲＲＣ接続要求メッセージ（ＲＲＣ  Ｃｏｎｎｅｃｔｉｏｎ  Ｒｅｑｕｅｓｔ）を受信すると、ＮＢＡＰ：無線リンク設定メッセージ（ＮＢＡＰ：Ｒａｄｉｏ  Ｌｉｎｋ  Ｓｅｔｕｐ  Ｒｅｑｕｅｓｔ）の送信（図２のａ２）と同時に、ＵＥ１にＲＲＣ接続設定メッセージ（ＲＲＣ  Ｃｏｎｎｅｃｔｉｏｎ  Ｓｅｔｕｐ）［ＣＣＣＨ，ＦＡＣＨ（Ｆｏｒｗａｒｄ  Ａｃｃｅｓｓ  Ｃｈａｎｎｅｌ：下りアクセスチャネル）（トランスポートチャネル）、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ：２次共通制御物理チャネル）（物理チャネル）］を送信する（図２のａ３）。
【００３０】
続けて、ＲＮＣ３はＡＬＣＡＰ：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定メッセージ（ＡＬＣＡＰ：Ｅｓｔａｂｌｉｓｈ  Ｒｅｑｕｅｓｔ）を送信する（図２のａ５）。
【００３１】
基地局２はＮＢＡＰ：無線リンク設定メッセージを受信すると、無線リソースを割り当て、ＲＮＣ３に無線リンク設定応答（ＮＢＡＰ：Ｒａｄｉｏ  Ｌｉｎｋ  Ｓｅｔｕｐ  Ｒｅｓｐｏｎｓｅ）を送信する（図２のａ４）。また、基地局２はＡＬＣＡＰ：ＡＡＬ２コネクション設定メッセージを受信すると、ＡＡＬ２コネクションを確立し、ＲＮＣ３にＡＬＣＡＰ：ＡＡＬ２コネクション設定応答メッセージ（ＡＬＣＡＰ：Ｅｓｔａｂｌｉｓｈ  Ｃｏｎｆｉｒｍ）を送信する（図２のａ６）。その後、基地局２は、無線リンクの同期完了を確認し、ＲＮＣ３に無線リンクリストア指示メッセージ（ＮＢＡＰ：Ｒａｄｉｏ  Ｌｉｎｋ  Ｒｅｓｔｏｒｅ  Ｉｎｄｉｃａｔｉｏｎ）を送信する（図２のａ７）。
【００３２】
ＵＥ１はＲＲＣ接続設定メッセージを受信すると、設定したＤＣＨ（Ｄｅｄｉｃａｔｅｄ  Ｃｈａｎｎｅｌ：個別チャネル）（トランスポートチャネル）上にＲＲＣ接続完了メッセージ（ＲＲＣ  Ｃｏｎｎｅｃｔｉｏｎ  Ｓｅｔｕｐ  Ｃｏｍｐｌｅｔｅ）［ＤＣＣＨ（Ｄｅｄｉｃａｔｅｄ  Ｃｏｎｔｒｏｌ  Ｃｈａｎｎｅｌ：個別制御チャネル）（論理チャネル），ＤＣＨ（トランスポートチャネル），ＤＰＤＣＨ（Ｄｅｄｉｃａｔｅｄ  Ｐｈｙｓｉｃａｌ  Ｄａｔａ  Ｃｈａｎｎｅｌ：個別物理データチャネル）（物理チャネル）］を送信する（図２のａ８）。
【００３３】
従来のＲＲＣコネクション確立手順を示す図４において、ＲＮＣ３はＡＬＣＡＰ：ＡＡＬ２コネクション設定応答メッセージ（ＡＬＣＡＰ：Ｅｓｔａｂｌｉｓｈ  Ｃｏｎｆｉｒｍ）の受信からＲＲＣ接続設定メッセージ（ＲＲＣ  Ｃｏｎｎｅｃｔｉｏｎ  Ｓｅｔｕｐ）の送信までにＡＬＣＡＰ：ＡＡＬ２コネクション設定手順、及び内部のリソース割り当て手順のために時間Ａが必要である。
【００３４】
一方で、ＵＥ１は、ＲＲＣ接続設定メッセージ（ＲＲＣ  Ｃｏｎｎｅｃｔｉｏｎ  Ｓｅｔｕｐ）の受信から、ＲＲＣ接続設定完了メッセージ（ＲＲＣ  Ｃｏｎｎｅｃｔｉｏｎ  Ｓｅｔｕｐ  Ｃｏｍｐｌｅｔｅ）の返信までに時間Ｂが必要である。
【００３５】
ここで、時間Ａと時間Ｂとの関係は、必ず時間Ａ＜時間Ｂであるため、本発明によってＡＬＣＡＰ：ＡＡＬ２コネクション設定手順の前にＲＲＣ接続設定メッセージ（ＲＲＣ  Ｃｏｎｎｅｃｔｉｏｎ  Ｓｅｔｕｐ）を送信するように変更することで、ＲＮＣ３とＵＥ１との両方で手順上は並行となる。結果として、ＲＮＣ３はＲＲＣ接続設定（ＲＲＣ  Ｃｏｎｎｅｃｔｉｏｎ  Ｓｅｔｕｐ）手順で少なくとも時間Ａの短縮効果が期待できる。
【００３６】
また、本実施例では、図３に示すように、万が一、ＲＮＣ３がＮＢＡＰ：無線リンク設定手順、またはＡＬＣＡＰ：ＡＡＬ２コネクション設定手順が未完了の場合、または失敗した場合に（図３のｂ１〜ｂ５）、ＲＲＣコネクションの確立をＦＡＣＨ（トランスポートチャネル）で再確立することで救済している（図３のｂ６，ｂ７）。
【図面の簡単な説明】
【００３７】
【図１】本発明の一実施例による移動体通信システムの構成を示すブロック図である。
【図２】本発明の一実施例による移動体通信システムにおけるＲＲＣ接続設定手順を示すシーケンスチャートである。
【図３】本発明の一実施例による移動体通信システムにおけるＲＲＣ接続設定に失敗した時の手順を示すシーケンスチャートである。
【図４】従来例による移動体通信システムにおけるＲＲＣ接続設定手順を示すシーケンスチャートである。
【符号の説明】
【００３８】
１  移動体端末（ＵＥ）
２  基地局（ＮｏｄｅＢ）
３  無線ネットワーク制御装置（ＲＮＣ）
４  移動交換局（ＣＮ）
１１，１２  セル（Ｃｅｌｌ）
【図１】
0004725312.tif 000002
【図２】
0004725312.tif 000003
【図３】
0004725312.tif 000004
【図４】
0004725312.tif 000005